(57)【要約】【課題】本発明は、トラクタ機構の搬出側入口部での連続用紙のバタツキを回避して安定した連続用紙の搬送が行える連続紙用電子写真式印刷装置を提供することにある。【解決手段】本発明は、感光ドラム７から搬出された連続用紙２がトラクタ機構６に至る間に、連続用紙２をトラクタ機構２側に接近させる用紙変位手段（２８）を設けたのである。  このように構成することで、剛性により連続用紙２がトラクタ機構６の搬出側入口部でバタツキを起こすことはなくなり、その結果、連続用紙２の浮き上がりによってトラクタ機構６の搬送ピン２１が連続用紙２の送り穴２Ｈに係合されずに連続用紙２の走行障害が発生すると云う不都合及びそれに伴う印刷不良は解消され、連続用紙２の安定した搬送を行うことができる。【選択図】図３
2009031476.tif 000002
【特許請求の範囲】
【請求項１】
連続用紙に設けた送り穴に係合する搬送ピンを有し前記連続用紙を感光ドラムに搬入すると共に感光ドラムから搬出するトラクタ機構と、このトラクタ機構で搬送される連続紙を案内する用紙案内手段とを備えた連続紙用電子写真式印刷装置において、前記感光ドラムから搬出された前記連続用紙が前記トラクタ機構に至る間に、前記連続用紙を前記トラクタ機構側に接近させる用紙変位手段を設けたことを特徴とする連続紙用電子写真式印刷装置。
【請求項２】
前記トラクタ機構はトラクタカバーを有し、このトラクタカバーに前記用紙変位手段が設けられていることを特徴とする請求項１記載の連続紙用電子写真式印刷装置。
【請求項３】
連続用紙に設けた送り穴に係合する搬送ピンを有し前記連続用紙を感光ドラムに搬入すると共に感光ドラムから搬出するトラクタ機構と、このトラクタ機構で搬送される連続紙を案内する用紙案内手段とを備えた連続紙用電子写真式印刷装置において、前記感光ドラムから搬出された前記連続用紙が前記トラクタ機構に至る間に、前記トラクタ機構側に接近させる用紙変位手段を前記用紙案内手段に設けたことを特徴とする連続紙用電子写真式印刷装置。
【請求項４】
前記用紙変位手段は、前記連続用紙の幅方向両側に対向して設置されていることを特徴とする請求項１，２又は３記載の連続紙用電子写真式印刷装置。
【請求項５】
前記用紙変位手段は、連続用紙を吸引する用紙吸引機構であることを特徴とする請求項１，２，３又は４記載の連続紙用電子写真式印刷装置。
【請求項６】
前記用紙変位手段は、連続用紙を押付ける用紙押付機構であることを特徴とする請求項１，２，３又は４記載の連続紙用電子写真式印刷装置。
【発明の詳細な説明】
【技術分野】
【０００１】
本発明は連続紙用電子写真式印刷装置に係り、特に、感光ドラムへの連続用紙の搬入と搬出を一つのトラクタ機構で行う連続紙用電子写真式印刷装置に関する。
【背景技術】
【０００２】
一般に、高速の連続紙用電子写真式印刷装置においては、感光ドラムへの連続用紙の搬入と搬出を行うトラクタ機構は夫々独立して設置され、感光ドラムに対する連続用紙の搬送径を大きくして高速印刷に対応するようにしている。
【０００３】
これに対し、中速の連続紙用電子写真式印刷装置においては、小型化を要求されるために、感光ドラムへの連続用紙の搬入と搬出を一つのトラクタ機構で行っている。
【０００４】
この中速の連続紙用電子写真式印刷装置に関連するものとして特許文献１が存在する。
【０００５】
【特許文献１】実公昭６１−３４１３９号公報
【発明の開示】
【発明が解決しようとする課題】
【０００６】
上記中速の連続紙用電子写真式印刷装置は、感光ドラムへの連続用紙の搬入と搬出を一つのトラクタ機構で行っているために、感光ドラムに搬入及び搬出される連続用紙がＵターン状態で通過することになる。その結果、感光ドラムを通過した連続用紙は、用紙の持つ剛性により元の状態に戻ろうとする力が働き、感光ドラムの出口側では連続用紙が浮き上がり気味となり、トラクタ機構の搬出側入口部でバタツキを起こす。このような現象は、連続用紙の厚さが厚くなるほど顕著になり、加えて印刷速度が速くなるほど大きくなる。
【０００７】
このように連続用紙のバタツキ現象が発生すると、トラクタ機構に設けたトラクタカバーでは抑制しきれず、連続用紙に設けた送り穴がトラクタ機構の搬送ピンから外れて連続用紙に走行障害が発生する。この連続用紙の搬送障害は、感光ドラムの転写部において印刷位置ずれや転写不良などの印刷不良を起こす原因にもなる。
【０００８】
したがって、感光ドラムへの連続用紙の搬入と搬出を一つのトラクタ機構で行う連続紙用電子写真式印刷装置においては、トラクタ機構の搬出側入口部での連続用紙のバタツキの回避は必須である。
【０００９】
本発明の目的は、トラクタ機構の搬出側入口部での連続用紙のバタツキを回避して安定した連続用紙の搬送が行える連続紙用電子写真式印刷装置を提供することにある。
【課題を解決するための手段】
【００１０】
本発明は上記目的を達成するために、感光ドラムから搬出された連続用紙がトラクタ機構に至る間に、連続用紙をトラクタ機構側に接近させる用紙変位手段を設けたのである。
【００１１】
このように用紙変位手段によって感光ドラムから搬出された連続用紙をトラクタ機構側に接近させることで、連続用紙の剛性によりトラクタ機構の搬出側入口部でバタツキを起こすことはなくなり、その結果、連続用紙の浮き上がりによってトラクタ機構の搬送ピンが連続用紙の送り穴に係合されずに連続用紙に走行障害が発生すると云う不都合及びそれに伴う印刷不良は解消され、連続用紙の安定した搬送を行うことができる。
【発明の効果】
【００１２】
以上説明したように本発明によれば、トラクタ機構の搬出側入口部での連続用紙のバタツキを回避して安定した連続用紙の搬送が行える連続紙用電子写真式印刷装置を得ることができる。
【発明を実施するための最良の形態】
【００１３】
以下、本発明による連続紙用電子写真式印刷装置の一実施の形態を図１〜図３に基づいて説明する。
【００１４】
連続紙用電子写真式印刷装置１は、大きくは、九十九折り状に折り畳まれた連続用紙２をストックする用紙トレイ３と、連続用紙２の搬送下流側に対向配置された除電ブラシ４と、この除電ブラシ４の下流側に用紙ガイド５を経由して配置されたトラクタ機構６と、このトラクタ機構６の用紙反転部に対向配置された感光ドラム７と、前記トラクタ機構６の下流側に設置されたテンションローラ８と、テンションローラ８の下流側に設置された予熱板９と、予熱板９の下流側に連続用紙２を挟むように配置された加熱ローラ１０及び加圧ローラ１１と、これら各ローラ１０，１１の下流側に配置されて連続用紙２を挟持搬送する搬送ローラ１２と、搬送ローラ１２を通過した連続用紙２を案内する用紙ガイド１３と、用紙ガイド１３を通過した連続用紙２を九十九折り状に折り畳む一対の用紙折り畳みベルト１４と、折り畳まれた連続用紙をストックするテーブル１５とにより構成されている。
【００１５】
上記構成の連続紙用電子写真式印刷装置１の連続用紙２の搬送経路において、感光ドラム７に対向する部分は、トナー転写精度を確保するため、連続用紙２に緩みが生じないように転写ガイド１６Ａ，１６Ｂで案内され、板ばね１７により適度な張力を付加している。
【００１６】
一方、トラクタ機構６は、駆動プーリ１８及び従動プーリ１９と、これらに巻き付けられた無端状のトラクタベルト２０とを有し、トラクタベルト２０の幅方向両側には夫々複数の搬送ピン２１が等ピッチで設けられている。これら左右の搬送ピン２１の間隔は、当然連続用紙２の幅方向両側に設けられた送り穴２Ｈの間隔と同じであり、また、搬送ピン２１のピッチも送り穴２Ｈのピッチと等しく設定されていることは云うまでもない。
【００１７】
さらに、トラクタ機構６の感光ドラム７への連続用紙搬入側には、搬送ピン２１から送り穴２Ｈが外れないように搬入側トラクタカバー２２が設けられていると共に、感光ドラム７からの連続用紙搬出側にも、搬送ピン２１から送り穴２Ｈが外れないように搬出側トラクタカバー２３，２４が設けられている。これら搬入側トラクタカバー２２及び搬出側トラクタカバー２３，２４の連続用紙２を介した内側には夫々連続用紙２の幅方向両側に対向して搬入側用紙案内手段２５及び搬出側用紙案内手段２６，２７が設けられている。
【００１８】
上記構成のトラクタ機構６において、連続用紙２がトラクタベルト２０の搬出側に至る直前のＬ１領域に対向する前記搬出側用紙案内手段２６，２７に、吸引駆動機（図示せず）に連結された用紙吸引機構（本発明による用紙変位手段）２８を設けており、この用紙吸引機構２８に対向する搬出側用紙案内手段２６，２７には空気を吸引する吸引穴２９を形成している。
【００１９】
一般的に、感光ドラム７から搬出された連続用紙２は、搬送方向が矢印Ａ方向から矢印Ｂ方向にＵターンされた直後であり、本来なら用紙の持つ剛性によってＬ２寸法浮き上がってバタツキを起こす。しかしながら本発明による連続紙用電子写真式印刷装置１は、上記のように構成したので、Ｌ１領域において用紙吸引機構２８により空気を吸引することで、浮き上がった連続用紙２を強制的にトラクタベルト側に変位させることができる。その結果、連続用紙２は、トラクタベルト２０に接近して搬送されるので、送り穴２Ｈに搬送ピン２１を円滑に係合することができる。
【００２０】
したがって、本実施の形態によれば、連続用紙２に設けた送り穴２Ｈがトラクタ機構６の搬送ピン２１から外れて連続用紙２に走行障害が発生する不都合、及びこの不都合によって生じる感光ドラム７の転写部において印刷位置ずれや転写不良などの印刷不良を起こす不都合も一掃することができる。
【００２１】
ところで、上記実施の形態において、用紙変位手段として吸引駆動機に連結された用紙吸引機構２８を説明したが、これに限らず、例えば浮き上がった連続用紙２をトラクタ機構６のトラクタベルト２０側に押付ける弾性体を用いた用紙押付機構である用紙変位手段としてもよく、さらには圧縮空気を吹き付けて浮き上がった連続用紙２をトラクタ機構６のトラクタベルト２０側に押付ける用紙押付機構である用紙変位手段としてもよい。
【００２２】
さらに、上記実施の形態においては、用紙変位手段としての用紙吸引機構２８を搬出側用紙案内手段２６，２７に設置した例を説明したが、浮き上がった連続用紙２をトラクタベルト２０側に変位させることができれば、用紙変位手段の設置位置は搬出側用紙案内手段２６，２７に特定されるものではなく、例えば搬出側トラクタカバー２３，２４やその他の固定部材に設置してもよい。
【図面の簡単な説明】
【００２３】
【図１】本発明による連続紙用電子写真式印刷装置の一実施の形態を示す概略側面図。
【図２】図１の感光ドラムの連続用紙搬出側を示す一部破断拡大平面図。
【図３】図１のトラクタ機構示す拡大図。
【符号の説明】
【００２４】
１…連続紙用電子写真式印刷装置、２…連続用紙、２Ｈ…送り穴、３…用紙トレイ、４…除電ブラシ、５…用紙ガイド、６…トラクタ機構、７…感光ドラム、８…テンションローラ、９…予熱板、１０…加熱ローラ、１１…加圧ローラ、１２…搬送ローラ、１３…用紙ガイド、１４…用紙折り畳みベルト、１５…テーブル、１６Ａ，１６Ｂ…転写ガイド、１７…板ばね、１８…駆動プーリ、１９…従動プーリ、２０…トラクタベルト、２１…搬送ピン、２２…搬入側トラクタカバー、２３，２４…搬出側トラクタカバー、２５…搬入側用紙案内手段、２６，２７…搬出側用紙案内手段、２８…用紙吸引機構、２９…吸引穴。
【図１】
2009031476.tif 000003
【図２】
2009031476.tif 000004
【図３】
2009031476.tif 000005